(57)【要約】      （修正有）【課題】ワイヤレスデバイスによる安全なコネクションレスアップリンク伝送のための方法を提供する。【解決手段】ユーザ機器（ＵＥ）は、ネットワークとの安全な接続を基地局（ＢＳ）を介して確立し、データを送信するのに使用するための暗号化メカニズムを安全な接続を介してネゴシエートした後に、アイドルモードに入る。ＵＥは、ネゴシエートされた暗号化メカニズムを使用して、完全なＲＲＣ接続を確立することなく、暗号化されたデータを含むパケットをＢＳに送信する。【選択図】図５
2020043572.tif 000002
【特許請求の範囲】
【請求項１】
ユーザ機器（ＵＥ）によるワイヤレス通信のための方法であって、
ネットワークとの安全な接続を、基地局（ＢＳ）を介して確立することと、
完全な無線リソース制御（ＲＲＣ）接続を確立することなく、前記ＵＥがデータを送信するのに使用するための暗号化メカニズムを、前記安全な接続を介してネゴシエートすることと、
前記暗号化メカニズムをネゴシエートした後に、アイドルモードに入ることと、
前記ネットワークに送信されるべきデータを暗号化するために、前記ネゴシエートされた暗号化メカニズムを使用することと、
前記完全なＲＲＣ接続を確立することなく、前記暗号化されたデータを含むパケットを前記ＢＳに送信することと、
を備える、方法。
【請求項２】
前記ネゴシエートすることは、
コネクションレスセットアップを求める要求を送信することと、ここにおいて、前記要求は、前記ＵＥによってサポートされた１つまたは複数の暗号化メカニズムを示す、
前記サポートされた暗号化メカニズムのうちの１つを示す応答を受信することと、
を備える、請求項１に記載の方法。
【請求項３】
前記安全な接続を確立することは、トラッキングエリア更新（ＴＡＵ）またはアタッチプロシージャのうちの少なくとも１つを備える、請求項１に記載の方法。
【請求項４】
前記暗号化されたデータを含む前記パケットを送信するためのリソースを求める要求を前記ＢＳに送信すること、
をさらに備える、請求項１に記載の方法。
【請求項５】
前記パケットは、前記ネットワークが前記ＵＥを認証するためのメカニズムをさらに備え、前記メカニズムは、媒体アクセス制御（ＭＡＣ）アドレスまたはショートＭＡＣアドレスのうちの少なくとも１つを備える、請求項１に記載の方法。
【請求項６】
前記完全なＲＲＣ接続を確立することは、前記ＵＥと前記ネットワークとの間に少なくとも１つのデータ無線ベアラを確立することを備える、請求項１に記載の方法。
【請求項７】
前記パケットを送信した後に、前記ＢＳが前記暗号化されたデータを成功裏に復号したことを確認応答するメッセージを受信することをさらに備える、請求項１に記載の方法。
【請求項８】
前記メッセージは、ページングメッセージを備える、請求項７に記載の方法。
【請求項９】
前記ページングメッセージの送信は、前記ＢＳが前記暗号化されたデータを成功裏に復号したという確認応答を示す、請求項８に記載の方法。
【請求項１０】
前記メッセージは、前記ＵＥが前記ネットワークを認証するためのメカニズムを備える、請求項７に記載の方法。
【請求項１１】
前記メカニズムは、媒体アクセス制御（ＭＡＣ）アドレスまたはショートＭＡＣアドレスのうちの少なくとも１つを備える、請求項１０に記載の方法。
【請求項１２】
前記パケットを送信した後に、
前記ＢＳが前記暗号化されたデータを成功裏に復号したという確認応答（ＡＣＫ）を前記ＵＥが受信していないと決定することと、
前記決定に応じて前記パケットを再送することと、
をさらに備える、請求項１に記載の方法。
【請求項１３】
基地局（ＢＳ）による、ネットワークにおけるワイヤレス通信のための方法であって、  完全な無線リソース制御（ＲＲＣ）接続を確立していないユーザ機器（ＵＥ）から、暗号化されたデータを備えるパケットを受信することと、
前記ＵＥの認証を行うためにネットワークエンティティと通信することと、
前記ネットワークエンティティが前記ＵＥを認証した後に、前記暗号化されたデータを復号するための復号情報を、前記ネットワークエンティティから受信することと、
前記暗号化されたデータを復号するために、前記復号情報を使用することと、  を備える、方法。
【請求項１４】
前記パケットは、前記ネットワークが前記ＵＥを認証するためのメカニズムをさらに備え、
前記ＵＥの認証を行うために前記ネットワークエンティティと通信することは、前記メカニズムを前記ネットワークエンティティに提供することを備える、
請求項１３に記載の方法。
【請求項１５】
前記メカニズムは、媒体アクセス制御（ＭＡＣ）アドレスまたはショートＭＡＣアドレスのうちの少なくとも１つを備える、請求項１４に記載の方法。
【請求項１６】
前記暗号化されたデータを成功裏に復号した後に、前記ＢＳが前記暗号化されたデータを成功裏に復号したことを確認応答するメッセージを前記ＵＥに送ることをさらに備える、請求項１３に記載の方法。
【請求項１７】
前記メッセージは、ページングメッセージを備える、請求項１６に記載の方法。
【請求項１８】
前記ページングメッセージの送信は、前記ＢＳが前記暗号化されたデータを成功裏に復号したという確認応答を示す、請求項１７に記載の方法。
【請求項１９】
前記メッセージは、前記ＵＥが前記ネットワークを認証するためのメカニズムを備え、前記メカニズムは、媒体アクセス制御（ＭＡＣ）アドレスまたはショートＭＡＣアドレスのうちの少なくとも１つを備える、請求項１６に記載の方法。
【請求項２０】
前記完全なＲＲＣ接続の前記確立は、前記ＵＥと前記ネットワークエンティティとの間の少なくとも１つのデータ無線ベアラの確立を備える、請求項１３に記載の方法。
【請求項２１】
ネットワークエンティティによる、ネットワークにおけるワイヤレス通信のための方法であって、
ユーザ機器（ＵＥ）との安全な接続を、基地局（ＢＳ）を介して確立することと、
完全な無線リソース制御（ＲＲＣ）接続を確立することなく、前記ＵＥがデータを送信するのに使用するための暗号化メカニズムを、前記安全な接続を介してネゴシエートすることと、
前記ＵＥの認証を行うために前記ＢＳと通信することと、ここにおいて、暗号化されたデータは、前記ＵＥから前記ＢＳによってパケット中で受信され、
前記ＵＥを認証した後に、前記暗号化されたデータを復号するための復号情報を前記ＢＳに提供することと、
前記復号情報を使用して復号されたデータを前記ＢＳから受信することと、
を備える、方法。
【請求項２２】
前記ネゴシエートすることは、
前記ＵＥからコネクションレスセットアップを求める要求を受信することと、ここにおいて、前記要求は、前記ＵＥによってサポートされた１つまたは複数の暗号化メカニズムを示す、
前記サポートされた暗号化メカニズムのうちの１つを示す応答を送信することと、
を備える、請求項２１に記載の方法。
【請求項２３】
前記パケット中で、前記ネットワークが前記ＵＥを認証するための少なくとも１つのメカニズムを前記ＢＳから受信することと、
前記ＵＥを認証するために前記少なくとも１つのメカニズムを使用することと、ここにおいて、前記少なくとも１つのメカニズムは、媒体アクセス制御（ＭＡＣ）アドレスまたはショートＭＡＣアドレスのうちの少なくとも１つを備える、
をさらに備える、請求項２１に記載の方法。
【請求項２４】
前記完全なＲＲＣ接続を確立することは、前記ＵＥと前記ネットワークエンティティとの間に少なくとも１つのデータ無線ベアラを確立することを備える、請求項２１に記載の方法。
【請求項２５】
前記ＵＥを認証した後に、前記ＵＥが前記ネットワークを認証するための少なくとも１つのメカニズムを前記ＢＳに提供することをさらに備え、前記少なくとも１つのメカニズムは、媒体アクセス制御（ＭＡＣ）アドレスまたはショートＭＡＣアドレスのうちの少なくとも１つを備える、請求項２１に記載の方法。
【請求項２６】
ネットワークエンティティによる、ネットワークにおけるワイヤレス通信のための方法であって、
ユーザ機器（ＵＥ）との安全な接続を、基地局（ＢＳ）を介して確立することと、
完全な無線リソース制御（ＲＲＣ）接続を確立することなく、前記ＵＥがデータを送信するのに使用するための暗号化メカニズムを、前記安全な接続を介してネゴシエートすることと、
前記ＵＥの認証を行うために前記ＢＳと通信することと、ここにおいて、暗号化されたデータは、前記ＵＥから前記ＢＳによってパケット中で受信され、
前記暗号化されたデータを前記ＢＳから受信することと、
前記暗号化されたデータを復号するために復号情報を使用することと、
を備える、方法。
【請求項２７】
前記ネゴシエートすることは、
前記ＵＥからコネクションレスセットアップを求める要求を受信することと、ここにおいて、前記要求は、前記ＵＥによってサポートされた１つまたは複数の暗号化メカニズムを示す、
前記サポートされた暗号化メカニズムのうちの１つを示す応答を送信することと、
を備える、請求項２６に記載の方法。
【請求項２８】
前記パケット中で、前記ネットワークが前記ＵＥを認証するための少なくとも１つのメカニズムを前記ＢＳから受信することと、
前記ＵＥを認証するために前記少なくとも１つのメカニズムを使用することと、ここにおいて、前記少なくとも１つのメカニズムは、媒体アクセス制御（ＭＡＣ）アドレスまたはショートＭＡＣアドレスのうちの少なくとも１つを備える、
をさらに備える、請求項２６に記載の方法。
【請求項２９】
前記完全なＲＲＣ接続を確立することは、前記ＵＥと前記ネットワークエンティティとの間に少なくとも１つのデータ無線ベアラを確立することを備える、請求項２６に記載の方法。
【請求項３０】
前記ＵＥを認証した後に、前記ＵＥが前記ネットワークを認証するための少なくとも１つのメカニズムを前記ＢＳに提供することをさらに備え、前記少なくとも１つのメカニズムは、媒体アクセス制御（ＭＡＣ）アドレスまたはショートＭＡＣアドレスのうちの少なくとも１つを備える、請求項２６に記載の方法。
【発明の詳細な説明】
【関連出願の相互参照】
【０００１】
[0001]  本出願は、２０１４年９月２３日出願の米国仮特許出願第６２／０５４，２７１号、および２０１５年９月２２日出願の米国特許出願第１４／８６２，１２４号の利益を主張するものであり、その両方は、全体が参照によって本明細書に明確に組み込まれている。
【技術分野】
【０００２】
[0002]  本開示のある特定の態様は、概して、低減されたシグナリングオーバーヘッドでユーザ機器（ＵＥ）からの安全（セキュア：secure）なアップリンクデータ伝送を行うための方法および装置に関する。
【背景技術】
【０００３】
[0003]  ワイヤレス通信システムは、音声、データ、等のような様々なタイプの通信内容を提供するために広く展開されている。これらのシステムは、利用可能なシステムリソース（例えば、帯域幅および伝送電力）を共有することによって複数のユーザとの通信をサポートすることが可能な多元接続システムであり得る。このような多元接続システムの例は、符号分割多元接続（ＣＤＭＡ）システム、時分割多元接続（ＴＤＭＡ）システム、周波数分割多元接続（ＦＤＭＡ）システム、第３世代パートナーシッププロジェクト（３ＧＰＰ（登録商標））ロングタームエボリューション（ＬＴＥ（登録商標））システム、ロングタームエボリューションアドバンスド（ＬＴＥ−Ａ）システム、および直交周波数分割多元接続（ＯＦＤＭＡ）システムを含む。
【０００４】
[0004]  一般に、ワイヤレス多元接続通信システムは、複数のワイヤレス端末のための通信を同時にサポートすることができる。各端末は、順方向および逆方向リンク上の伝送を介して１つまたは複数の基地局と通信する。順方向リンク（または、ダウンリンク）は、基地局から端末への通信リンクを指し、逆方向リンク（または、アップリンク）は、端末から基地局への通信リンクを指す。この通信リンクは、単一入力単一出力、多入力単一出力、または多入力多出力（ＭＩＭＯ）システムを介して確立され得る。
【０００５】
[0005]  マシン型通信（ＭＴＣ：machine-type communications）デバイスといった、ある特定のタイプのデバイスは、送るデータがほんのわずかな量であることもあり、またそのデータを送るのが比較的頻繁ではないこともある。このようなケースにおいて、ネットワーク接続を確立するために必要なオーバーヘッドの量は、接続中に送られる実際のデータと比べて非常に高いこともある。
【発明の概要】
【０００６】
[0006]  本開示のある特定の態様は、ユーザ機器（ＵＥ）によるワイヤレス通信のための方法を提供する。本方法は、概して、ネットワークとの安全な接続（セキュアなコネクション）を、基地局（ＢＳ）を介して確立することと、完全な（full）無線リソース制御（ＲＲＣ）接続を確立することなく、ＵＥがデータを送信するのに使用するための暗号化メカニズムを、安全な接続を介してネゴシエートすることと、暗号化メカニズムをネゴシエートした後にアイドルモードに入ることと、ネットワークに転送される（forwarded）べきデータを暗号化するために、ネゴシエートされた暗号化メカニズムを使用することと、完全なＲＲＣ接続（ＲＲＣコネクション）を確立することなく、暗号化されたデータを含むパケットをＢＳに送信することと、を含む。
【０００７】
[0007]  本開示のある特定の態様は、ユーザ機器（ＵＥ）によるワイヤレス通信のための装置を提供する。本装置は、概して、ネットワークとの安全な接続を、基地局（ＢＳ）を介して確立することと、完全な無線リソース制御（ＲＲＣ）接続を確立することなく、ＵＥがデータを送信するのに使用するための暗号化メカニズムを、安全な接続を介してネゴシエートすることと、暗号化メカニズムをネゴシエートした後にアイドルモードに入ることと、ネットワークに送信されるべきデータを暗号化するために、ネゴシエートされた暗号化メカニズムを使用することと、完全なＲＲＣ接続を確立することなく、暗号化されたデータを含むパケットをＢＳに送信することと、を行うように構成された少なくとも１つのプロセッサと、少なくとも１つのプロセッサに結合されたメモリと、を含む。
【０００８】
[0008]  本開示のある特定の態様は、ユーザ機器（ＵＥ）によるワイヤレス通信のための装置を提供する。本装置は、概して、ネットワークとの安全な接続を、基地局（ＢＳ）を介して確立するための手段と、完全な無線リソース制御（ＲＲＣ）接続を確立することなくＵＥがデータを送信するのに使用するための暗号化メカニズムを、安全な接続を介してネゴシエートするための手段と、暗号化メカニズムをネゴシエートした後にアイドルモードに入るための手段と、ネットワークに転送されるべきデータを暗号化するために、ネゴシエートされた暗号化メカニズムを使用するための手段と、完全なＲＲＣ接続を確立することなく、暗号化されたデータを含むパケットをＢＳに送信するための手段と、を含む。
【０００９】
[0009]  本開示のある特定の態様は、ユーザ機器（ＵＥ）によるワイヤレス通信のためのコンピュータ可読媒体を提供する。本コンピュータ可読媒体は、概して、少なくとも１つのプロセッサによって実行されると、ネットワークとの安全な接続を、基地局（ＢＳ）を介して確立することと、完全な無線リソース制御（ＲＲＣ）接続を確立することなくＵＥがデータを送信するのに使用するための暗号化メカニズムを、安全な接続を介してネゴシエートすることと、暗号化メカニズムをネゴシエートした後にアイドルモードに入ることと、ネットワークに送信されるべきデータを暗号化するために、ネゴシエートされた暗号化メカニズムを使用することと、完全なＲＲＣ接続を確立することなく、暗号化されたデータを含むパケットをＢＳに送信することと、をＵＥに行わせるコードを含む。
【００１０】
[0010]  本開示のある特定の態様は、基地局（ＢＳ）によるワイヤレス通信のための方法を提供する。本方法は、概して、完全な無線リソース制御（ＲＲＣ）接続を確立していないユーザ機器（ＵＥ）から、暗号化されたデータを備えるパケットを受信することと、ＵＥの認証を行うためにネットワークエンティティと通信することと、ネットワークエンティティがＵＥを認証した後に、暗号化されたデータを復号するための復号情報をネットワークエンティティから受信することと、暗号化されたデータを復号するために復号情報を使用することと、を含む。
【００１１】
[0011]  本開示のある特定の態様は、基地局（ＢＳ）によるワイヤレス通信のための装置を提供する。本装置は、概して、完全な無線リソース制御（ＲＲＣ）接続を確立していないユーザ機器（ＵＥ）から、暗号化されたデータを備えるパケットを受信することと、ＵＥの認証を行うためにネットワークエンティティと通信することと、ネットワークエンティティがＵＥを認証した後に、暗号化されたデータを復号するための復号情報をネットワークエンティティから受信することと、暗号化されたデータを復号するために復号情報を使用することと、を行うように構成された少なくとも１つのプロセッサと、少なくとも１つのプロセッサに結合されたメモリと、含む。
【００１２】
[0012]  本開示のある特定の態様は、基地局（ＢＳ）によるワイヤレス通信のための装置を提供する。本装置は、概して、完全な無線リソース制御（ＲＲＣ）接続を確立していないユーザ機器（ＵＥ）から、暗号化されたデータを備えるパケットを受信するための手段と、ＵＥの認証を行うためにネットワークエンティティと通信するための手段と、ネットワークエンティティがＵＥを認証した後に、暗号化されたデータを復号するための復号情報をネットワークエンティティから受信するための手段と、暗号化されたデータを復号するために復号情報を使用するための手段と、を含む。
【００１３】
[0013]  本開示のある特定の態様は、基地局（ＢＳ）によるワイヤレス通信のためのコンピュータ可読媒体を提供する。本コンピュータ可読媒体は、概して、少なくとも１つのプロセッサによって実行されると、完全な無線リソース制御（ＲＲＣ）接続を確立していないユーザ機器（ＵＥ）から、暗号化されたデータを備えるパケットを受信することと、ＵＥの認証を行うためにネットワークエンティティと通信することと、ネットワークエンティティがＵＥを認証した後に、暗号化されたデータを復号するための復号情報をネットワークエンティティから受信することと、暗号化されたデータを復号するために復号情報を使用することと、をＢＳに行わせるコードを含む。
【００１４】
[0014]  本開示のある特定の態様は、ネットワークエンティティによるワイヤレス通信のための方法を提供する。本方法は、概して、ユーザ機器（ＵＥ）との安全な接続を、基地局（ＢＳ）を介して確立することと、完全な無線リソース制御（ＲＲＣ）接続を確立することなく、ＵＥがデータを送信するのに使用するための暗号化メカニズムを、安全な接続を介してネゴシエートすることと、ＵＥの認証を行うためにＢＳと通信すること、ここにおいて、暗号化されたデータは、ＵＥからＢＳによってパケット中で受信される、と、ＢＳから暗号化されたデータを受信することと、暗号化されたデータを復号するために復号情報を使用することと、を含む。
【００１５】
[0015]  本開示のある特定の態様は、ネットワークエンティティによるワイヤレス通信のための装置を提供する。本装置は、概して、ユーザ機器（ＵＥ）との安全な接続を、基地局（ＢＳ）を介して確立することと、完全な無線リソース制御（ＲＲＣ）接続を確立することなく、ＵＥがデータを送信するのに使用するための暗号化メカニズムを、安全な接続を介してネゴシエートすることと、ＵＥの認証を行うためにＢＳと通信すること、ここにおいて、暗号化されたデータは、ＵＥからＢＳによってパケット中で受信される、と、ＢＳから暗号化されたデータを受信することと、暗号化されたデータを復号するために復号情報を使用することと、を行うように構成された少なくとも１つのプロセッサと、少なくとも１つのプロセッサに結合されたメモリと、を含む。
【００１６】
[0016]  本開示のある特定の態様は、ネットワークエンティティによるワイヤレス通信のための装置を提供する。本装置は、概して、ユーザ機器（ＵＥ）との安全な接続を、基地局（ＢＳ）を介して確立するための手段と、完全な無線リソース制御（ＲＲＣ）接続を確立することなくＵＥがデータを送信するのに使用するための暗号化メカニズムを、安全な接続を介してネゴシエートするための手段と、ＵＥの認証を行うためにＢＳと通信するための手段、ここにおいて、暗号化されたデータは、ＵＥからＢＳによってパケット中で受信される、と、ＢＳから暗号化されたデータを受信するための手段と、暗号化されたデータを復号するために復号情報を使用するための手段と、を含む。
【００１７】
[0017]  本開示のある特定の態様は、ネットワークエンティティによるワイヤレス通信のためのコンピュータ可読媒体を提供する。本コンピュータ可読媒体は、概して、少なくとも１つのプロセッサによって実行されると、ユーザ機器（ＵＥ）との安全な接続を、基地局（ＢＳ）を介して確立することと、完全な無線リソース制御（ＲＲＣ）接続を確立することなくＵＥがデータを送信するのに使用するための暗号化メカニズムを、安全な接続を介してネゴシエートすることと、ＵＥの認証を行うためにＢＳと通信すること、ここにおいて、暗号化されたデータは、ＵＥからＢＳによってパケット中で受信される、と、ＢＳから暗号化されたデータを受信することと、暗号化されたデータを復号するために復号情報を使用することと、をネットワークエンティティに行わせるコードを含む。
【００１８】
[0018]  本開示のある特定の態様は、ネットワークエンティティによるワイヤレス通信のための方法を提供する。本方法は、概して、ユーザ機器（ＵＥ）との安全な接続を、基地局（ＢＳ）を介して確立することと、完全な無線リソース制御（ＲＲＣ）接続を確立することなくＵＥがデータを送信するのに使用するための暗号化メカニズムを、安全な接続を介してネゴシエートすることと、ＵＥの認証を行うために、暗号化されたデータを備えるＵＥからのパケットを受信したＢＳと通信することと、ＵＥを認証した後に、暗号化されたデータを復号するための復号情報をＢＳに提供することと、復号情報を使用して復号されたデータをＢＳから受信することと、を含む。
【００１９】
[0019]  本開示のある特定の態様は、ネットワークエンティティによるワイヤレス通信のための装置を提供する。本装置は、概して、ユーザ機器（ＵＥ）との安全な接続を、基地局（ＢＳ）を介して確立することと、完全な無線リソース制御（ＲＲＣ）接続を確立することなくＵＥがデータを送信するのに使用するための暗号化メカニズムを、安全な接続を介してネゴシエートすることと、ＵＥの認証を行うためにＢＳと通信すること、ここにおいて、暗号化されたデータは、ＵＥからＢＳによってパケット中で受信される、と、ＵＥを認証した後に、暗号化されたデータを復号するための復号情報をＢＳに提供することと、復号情報を使用して復号されたデータをＢＳから受信することと、を行うように構成された少なくとも１つのプロセッサと、少なくとも１つのプロセッサに結合されたメモリと、を含む。
【００２０】
[0020]  本開示のある特定の態様は、ネットワークエンティティによるワイヤレス通信のための装置を提供する。本装置は、概して、ユーザ機器（ＵＥ）との安全な接続を、基地局（ＢＳ）を介して確立するための手段と、完全な無線リソース制御（ＲＲＣ）接続を確立することなくＵＥがデータを送信するのに使用するための暗号化メカニズムを、安全な接続を介してネゴシエートするための手段と、ＵＥの認証を行うためにＢＳと通信するための手段、ここにおいて、暗号化されたデータは、ＵＥからＢＳによってパケット中で受信される、と、ＵＥを認証した後に、暗号化されたデータを復号するための復号情報をＢＳに提供するための手段と、復号情報を使用して復号されたデータをＢＳから受信するための手段と、を含む。
【００２１】
[0021]  本開示のある特定の態様は、ネットワークエンティティによるワイヤレス通信のためのコンピュータ可読媒体を提供する。本コンピュータ可読媒体は、概して、少なくとも１つのプロセッサによって実行されると、ユーザ機器（ＵＥ）との安全な接続を、基地局（ＢＳ）を介して確立することと、完全な無線リソース制御（ＲＲＣ）接続を確立することなくＵＥがデータを送信するのに使用するための暗号化メカニズムを、安全な接続を介してネゴシエートすることと、ＵＥの認証を行うためにＢＳと通信すること、ここにおいて、暗号化されたデータは、ＵＥからＢＳによってパケット中で受信される、と、ＵＥを認証した後に、暗号化されたデータを復号するための復号情報をＢＳに提供することと、復号情報を使用して復号されたデータをＢＳから受信することと、をネットワークエンティティに行わせるコードを含む。
【００２２】
[0022]  他の実施形態は、限定ではなく、少なくとも１つのプロセッサによって実行されると、本明細書に開示された１つまたは複数の態様を行うコードを備えるコンピュータ可読媒体と、ならびに本明細書に開示された態様のうちの１つまたは複数をインプリメントするように構成されたプロセッサおよびメモリを有する装置とを含む。
【００２３】
[0023]  本開示の態様および実施形態は、同様の参照文字が全体を通して対応して同一とする図面と併せて考慮されると、以下に記載されている詳細な説明からより明らかになるであろう。
【図面の簡単な説明】
【００２４】
【図１】[0024]  本開示のある特定の態様にしたがった、例となる多元接続ワイヤレス通信システムを例示する図。
【図２】[0025]  本開示のある特定の態様にしたがった、アクセスポイントおよびユーザ端末のブロック図を例示する図。
【図３】[0026]  本開示のある特定の態様にしたがった、ワイヤレスデバイスにおいて利用され得る様々なコンポーネントを例示する図。
【図４】[0027]  本開示のある特定の態様にしたがった、ＬＴＥ ＲＡＣＨコンテンションベースのプロシージャのためのメッセージフローを例示する図。
【図５】[0028]  本開示のある特定の態様にしたがった、ＵＥによって行われ得る、例となる動作を例示する図。
【図６】[0029]  本開示のある特定の態様にしたがった、基地局（ＢＳ）によって行われ得る、例となる動作を例示する図。
【図７】[0030]  本開示のある特定の態様にしたがった、ネットワークエンティティによって行われ得る、例となる動作を例示する図。
【図８】[0031]  本開示のある特定の態様にしたがった、暗号化メカニズムのネゴシエーションとコネクションレス伝送のセットアップのための例となるコールフローを例示する図。
【図９】[0032]  本開示のある特定の態様にしたがった、（１つまたは複数の）安全な（セキュアな）コネクションレスアップリンクデータ伝送のための例となるコールフローを例示する図。
【図１０】
【詳細な説明】
【００２５】
[0033]  本開示の態様は、ある特定のデバイス（例えば、マシン型通信（ＭＴＣ）デバイス、エンハンスドＭＴＣ（ｅＭＴＣ：enhanced MTC）デバイス、等）が、データを送信する前に安全な接続を確立する必要なくデータを送信することを可能にすることができる技法を提供する。以下により詳細に説明されることになるように、これらの技法は、コネクションレス伝送のためのセットアップの一部としての暗号化メカニズムのネゴシエーションと、その後の安全な（セキュアな）コネクションレスアップリンク伝送とを伴い得る。
【００２６】
[0034]  本開示の様々な態様は、添付の図面を参照して、以下により十分に説明される。しかしながら、本開示は、多くの異なる形態で具現化されることができ、本開示全体を通して提示される任意の特定の構造または機能に限定されるものとして解釈されるべきではない。むしろ、これらの態様は、本開示が徹底的かつ完全なものとなり、当業者に本開示の範囲を十分に伝えることになるように、提供されるものである。本明細書での教示に基づいて、当業者は、本開示の範囲が、本開示の他の任意の態様から独立してインプリメントされようと、組み合わされてインプリメントされようと、本明細書に開示される開示の任意の態様をカバーするように意図されていることを理解するべきである。例えば、本明細書に述べられる任意の数の態様を使用して、装置がインプリメントされることができるか、または方法が実現されることができる。加えて、本開示の範囲は、本明細書に記載されている開示の様々な態様に加えた、他の構造、機能性、またはそれらの態様以外の構造および機能性を使用して実現される、そのような装置または方法をカバーするように意図されている。本明細書に開示される開示の任意の態様が、特許請求の範囲の１つまたは複数の要素によって具現化され得ることが理解されるべきである。
【００２７】
[0035]  「実例的な」という用語は、本明細書では、「例、事例、または例示としての役割を果たす」という意味で使用されている。「実例的な」ものとして、本明細書に説明される任意の態様は、必ずしも他の態様に対して好ましいまたは有利なものとして解釈されるべきではない。
【００２８】
[0036]  特定の態様が本明細書に説明されているが、これらの態様の多くの変形および並べ替えが、本開示の範囲内に入る。好ましい態様のいくつかの恩恵および利点が記述されているが、本開示の範囲は、特定の恩恵、使用法、または目的に限定されるように意図されたものではない。むしろ、本開示の態様は、異なるワイヤレス技術、システム構成、ネットワーク、および伝送プロトコルに幅広く適用可能であるように意図されており、そのうちのいくつかは、好ましい態様の下記の説明において、および図面において例として例示される。詳細な説明および図面は、限定するというよりも単に本開示を例示するものであり、本開示の範囲は、添付された特許請求の範囲およびその同等物によって定義される。
【００２９】
[0037]  本明細書に説明される技法は、コード分割多元接続（ＣＤＭＡ）ネットワーク、時分割多元接続（ＴＤＭＡ）ネットワーク、周波数分割多元接続（ＦＤＭＡ）ネットワーク、直交ＦＤＭＡ（ＯＦＤＭＡ）ネットワーク、シングルキャリアＦＤＭＡ（ＳＣ−ＦＤＭＡ）ネットワーク、等のような様々なワイヤレス通信ネットワークのために使用され得る。「ネットワーク」および「システム」という用語は、交換可能に使用されることが多い。ＣＤＭＡネットワークは、ユニバーサル地上無線アクセス（ＵＴＲＡ）、ＣＤＭＡ２０００、等のような無線技術をインプリメントし得る。ＵＴＲＡは、広帯域ＣＤＭＡ（Ｗ−ＣＤＭＡ（登録商標））およびローチップレート（ＬＣＲ:Low Chip Rate）を含む。ＣＤＭＡ２０００は、ＩＳ−２０００、ＩＳ−９５、およびＩＳ−８５６規格をカバーする。ＴＤＭＡネットワークは、モバイル通信のためのグローバルシステム（ＧＳＭ（登録商標））のような無線技術をインプリメントし得る。ＯＦＤＭＡネットワークは、発展型ＵＴＲＡ（Ｅ−ＵＴＲＡ）、ＩＥＥＥ８０２．１１、ＩＥＥＥ８０２．１６、ＩＥＥＥ８０２．２０、フラッシュ−ＯＦＤＭ（登録商標）、等のような無線技術をインプリメントし得る。ＵＴＲＡ、Ｅ−ＵＴＲＡ、およびＧＳＭは、ユニバーサルモバイル電気通信システム（ＵＭＴＳ：Universal Mobile Telecommunication System）の一部である。ロングタームエボリューション（ＬＴＥ）およびＬＴＥ−アドバンスド（ＬＴＥ−Ａ）は、Ｅ−ＵＴＲＡを使用するＵＭＴＳのより新しいリリースである。ＵＴＲＡ、Ｅ−ＵＴＲＡ、ＧＳＭ、ＵＭＴＳ、およびＬＴＥは、「第３世代パートナーシッププロジェクト」（３ＧＰＰ）という名称の団体からの文書に説明されている。ＣＤＭＡ２０００は、「第３世代パートナーシッププロジェクト２」（３ＧＰＰ２）という名称の団体からの文書に説明されている。簡潔さのために、ＬＴＥは、ＬＴＥとＬＴＥ−Ａとを指す。
【００３０】
[0038]  シングルキャリア周波数分割多元接続（ＳＣ−ＦＤＭＡ）は、送信機側ではシングルキャリア変調を利用し、受信機側では周波数ドメイン等化（frequency domain equalization）を利用する伝送技法である。ＳＣ−ＦＤＭＡは、ＯＦＤＭＡシステムのそれらと同様の性能と本質的に同じ全体的な複雑性とを有する。しかしながら、ＳＣ−ＦＤＭＡ信号は、その特有のシングルキャリア構造により、より低いピーク対平均電力比（ＰＡＰＲ：peak-to-average power ratio）を有する。ＳＣ−ＦＤＭＡは、伝送電力効率の観点から、特に、より低いＰＡＰＲがモバイル端末にとって非常に有益であるアップリンク通信において、大きい注目を集めている。これは現在のところ３ＧＰＰ ＬＴＥおよび発展型ＵＴＲＡにおけるアップリンク多元接続方式に関する作業仮説（working assumption）である。
【００３１】
[0039]  アクセスポイント（ＡＰ）は、ノードＢ、無線ネットワークコントローラ（ＲＮＣ）、ｅノードＢ（ｅＮＢ）、基地局コントローラ（ＢＳＣ）、基地トランシーバ局（ＢＴＳ）、基地局（ＢＳ）、トランシーバ機能（ＴＦ）、無線ルータ、無線トランシーバ、基本サービスセット（ＢＳＳ）、拡張サービスセット（ＥＳＳ）、無線基地局（ＲＢＳ）、または他の何らかの用語を備え得る、これらとしてインプリメントされ得る、または、これらとして既知であり得る。
【００３２】
[0040]  アクセス端末（ＡＴ）は、アクセス端末、加入者局、加入者ユニット、モバイル局、遠隔局、遠隔端末、遠隔デバイス、ワイヤレスデバイス、デバイス、ユーザ端末、ユーザエージェント、ユーザデバイス、ユーザ機器（ＵＥ）、ユーザ局、マシン型通信（ＭＴＣ）デバイス、または他の何らかの用語を備え得る、これらとしてインプリメントされ得る、または、これらとして既知であり得る。ＭＴＣデバイスの例は、ロボット、ドローン、様々なワイヤレスセンサ、モニタ、検出器、メータ、または一回の充電で何年にもわたって（ことによると無人）動作することが期待され得る、他のタイプのデータ監視デバイス、生成デバイス、または中継デバイスを含む。
【００３３】
[0041]  いくつかのインプリメンテーションにおいて、アクセス端末は、セルラ電話、スマートフォン、コードレス電話、セッション開始プロトコル（ＳＩＰ）電話、ワイヤレスローカルループ（ＷＬＬ）局、携帯情報端末（ＰＤＡ）、タブレット、ネットブック、スマートブック、ウルトラブック、ワイヤレス接続機能を有するハンドヘルドデバイス、局（ＳＴＡ）、またはワイヤレスモデムに接続された他の何らかの好適な処理デバイスを備え得る。したがって、本明細書に教示される１つまたは複数の態様は、電話（例えば、セルラ電話、スマートフォン）、コンピュータ（例えば、デスクトップ）、携帯用通信デバイス、携帯用コンピューティングデバイス（例えば、ラップトップ、携帯情報端末、タブレット、ネットブック、スマートブック、ウルトラブック）、エンターテイメントデバイス（例えば、音楽またはビデオデバイス、ゲーム用デバイス、衛星ラジオ）、測位システムデバイス（例えばＧＰＳ、北斗、ＧＬＯＮＡＳＳ、ガリレオ）、ウェアラブルデバイス（例えば、スマートウォッチ、スマートリストバンド、スマートクロージング（smart clothing）、スマートグラス、スマートリング、スマートブレスレット）、またはワイヤレス媒体または有線媒体を介して通信するように構成された他の任意の好適なデバイスに組み込まれ得る。いくつかの態様において、ノードは、ワイヤレスノードである。このようなワイヤレスノードは、例えば、有線またはワイヤレス通信リンクを介した、ネットワーク（例えば、インターネットまたはセルラネットワークのような広域ネットワーク（ＷＡＮ））のための接続、またはネットワークへの接続を提供し得る。
【００３４】
[0042]  図１は、ＬＴＥネットワークであり得る多元接続ワイヤレス通信システムを示し、ここにおいて、本開示の態様が実現され得る。
【００３５】
[0043]  例示されているように、アクセスポイント（ＡＰ）１００は、複数のアンテナグループ、アンテナ１０４および１０６を含む１つのグループ、アンテナ１０８および１１０を含む別のグループ、およびアンテナ１１２および１１４を含む追加のグループを含み得る。図１では、各アンテナグループについて２つのアンテナしか示されていないが、各アンテナグループについて、より多くのアンテナまたはより少ないアンテナが利用されることもある。アクセス端末（ＡＴ）１１６は、アンテナ１１２および１１４と通信中であり得、ここで、アンテナ１１２および１１４は、順方向リンク１２０を介してＡＴ１１６に情報を送信し、逆方向リンク１１８を介してＡＴ１１６から情報を受信する。ＡＴ１２２は、アンテナ１０４および１０６と通信中であり得、ここで、アンテナ１０４および１０６は、順方向リンク１２６を介してＡＴ１２２に情報を送信し、逆方向リンク１２４を介してＡＴ１２２から情報を受信する。ＦＤＤ（周波数分割複信）システムにおいて、通信リンク１１８、１２０、１２４および１２６は、通信のために異なる周波数を使用し得る。例えば、順方向リンク１２０は、逆方向リンク１１８によって使用されるものとは異なる周波数を使用し得る。
【００３６】
[0044]  アンテナの各グループおよび／またはそれらが通信するように設計されたエリアは、しばしば、ＡＰのセクタと称される。本開示の１つの態様において、各アンテナグループは、ＡＰ１００によってカバーされるエリアの１つのセクタ内の複数ＡＴに通信するように設計され得る。
【００３７】
[0045]  ＡＴ１３０は、ＡＰ１００と通信中であり得、ここで、ＡＰ１００からのアンテナは、順方向リンク１３２を介してＡＴ１３０に情報を送信し、逆方向リンク１３４を介してＡＴ１３０から情報を受信する。ＡＴ１１６、１２２、および１３０は、ＭＴＣデバイスであり得る。
【００３８】
[0046]  順方向リンク１２０および１２６を介した通信において、ＡＰ１００の送信アンテナは、異なるＡＴ１１６および１２２のための順方向リンクの信号対雑音比を改善するために、ビームフォーミングを利用し得る。また、そのカバレッジ中にランダムに分散したＡＴに送信するためにビームフォーミングを使用するＡＰは、そのＡＴすべてに単一のアンテナを通して送信するＡＰよりも、隣接セルにあるＡＴに対してより少ない干渉を引き起こす。
【００３９】
[0047]  ある態様によると、１つまたは複数のＡＴ１１６、１２２、１３０、および（１つまたは複数の）ＡＰ１００は、コアネットワーク（図示せず）と通信し得る。ＡＰ１００は、コアネットワーク（図示せず）にＳ１インターフェースによって接続され得る。コアネットワークは、モビリティ管理エンティティ（ＭＭＥ：Mobility Management Entity）（例えば、図８〜９に例示されている）、ホーム加入者サーバ（ＨＳＳ）（図示せず）、サービングゲートウェイ（Ｓ−ＧＷ）（例えば、図９に例示されている）、およびパケットデータネットワーク（Ｐ−ＧＷ）ゲートウェイ（例えば、図９に例示されている）を含み得る。ＭＭＥは、ＡＴとコアネットワークとの間のシグナリングを処理する制御ノードである。ＭＭＥは、モビリティ管理、ベアラ管理、ページングメッセージの配布、セキュリティ制御、認証（authentication）、ゲートウェイ選択、等のような様々な機能も行い得る。ＨＳＳは、ＭＭＥに接続され、ＡＴの認証および承認（authorization）といった様々な機能を行うことができ、ロケーションおよびＩＰ情報をＭＭＥに提供し得る。Ｓ−ＧＷは、ユーザＩＰパケットをＰ−ＧＷに転送することができ、パケットルーティングおよび転送（forwarding）、モビリティアンカリング（mobility anchring）、パケットバッファリング、ネットワークトリガのサービスの開始、等といった様々な機能を行い得る。Ｐ−ＧＷは、オペレータのＩＰサービス（図示せず）に接続され、ＩＰアドレス割当てと、他の機能をＵＥに提供し得る。オペレータのＩＰサービスは、インターネット、イントラネット、ＩＰマルチメディアサブシステム（ＩＭＳ）、およびＰＳストリーミングサービス（ＰＳＳ）を含み得る。
【００４０】
[0048]  本明細書に提示されているある特定の態様によると、以下にさらに詳細に説明されることになるように、ＡＴ（例えば、図１に例示されている）は、データを送信する前にネットワーク（例えば、図８〜９に例示されている、ＭＭＥ、Ｓ−ＧＷ、Ｐ−ＧＷ、等）への、ＡＰを介した安全な接続を確立する必要なく、データを送信することができる。
【００４１】
[0049]  図２は、本開示の態様による、多入力多出力（ＭＩＭＯ）システム２００における、送信機システム２１０（例えば、ＡＰとしても知られている）および受信機システム２５０（例えば、ＡＴとしても知られている）の態様のブロック図を例示する。送信機システム２１０は、図６を参照して以下に説明されるＢＳ側の動作を行うように構成され得、一方で、受信機システム２５０は、図５を参照して以下に説明されるＵＥ側の動作を行うように構成され得る。
【００４２】
[0050]  システム２１０およびシステム２５０の各々は、送信および受信の両方を行う機能を有する。システム２１０またはシステム２５０が送信するか、受信するか、または送信と受信を同時に行うかは、アプリケーションに依存する。送信機システム２１０において、多くのデータストリームに関するトラフィックデータが、データソース２１２から送信（ＴＸ）データプロセッサ２１４に提供される。
【００４３】
[0051]  本開示の１つの態様において、各データストリームは、それぞれの送信アンテナを介して送信され得る。ＴＸデータプロセッサ２１４は、各データストリームについてのトラフィックデータを、そのデータストリームについて選択された特定のコード化方式に基づいて、フォーマット、コード化、およびインタリーブし、コード化されたデータを提供する。
【００４４】
[0052]  各データストリームについてのコード化されたデータは、ＯＦＤＭ技法を使用してパイロットデータと多重化され得る。パイロットデータは、典型的には、既知の方法で処理される既知のデータパターンであり、チャネル応答を推定するために受信機システムにおいて使用され得る。各データストリームについての多重化されたパイロットおよびコード化データは、次いで、変調シンボルを提供するために、そのデータストリーム用に選択された特定の変調方式（例えば、ＢＰＳＫ、ＱＰＳＫ、Ｍ−ＰＳＫ、またはＭ−ＱＡＭ）に基づいて変調（例えば、シンボルマッピング）される。各データストリームについてのデータレート、コーディング、および変調は、コントローラ／プロセッサ２３０によって行われる命令によって決定され得る。メモリ２３２は、送信機システム２１０のためのデータおよびソフトウェア／ファームウェアを記憶し得る。
【００４５】
[0053]  すべてのデータストリームについての変調シンボルは、次いで、ＴＸ ＭＩＭＯプロセッサ２２０に提供され、それは、さらに（例えば、ＯＦＤＭのための）変調シンボルを処理し得る。ＴＸ ＭＩＭＯプロセッサ２２０は、次いで、ＮT個の変調シンボルストリームをＮT個の送信機（ＴＭＴＲ）２２２ａ〜２２２ｔに提供する。本開示のある特定の態様において、ＴＸ ＭＩＭＯプロセッサ２２０は、データストリームのシンボルと、シンボルが送信されるアンテナとに、ビームフォーミング重みを適用する。
【００４６】
[0054]  各送信機２２２は、それぞれのシンボルストリームを受信及び処理し、１つまたは複数のアナログ信号を提供し、さらにＭＩＭＯチャネルを介した送信に好適な変調信号を提供するために、そのアナログ信号を調整（例えば、増幅、フィルタリング、およびアップコンバート）する。送信機２２２ａ〜２２２ｔからのＮT個の変調信号は、次いで、ＮT個のアンテナ２２４ａ〜２２４ｔからそれぞれ送信される。
【００４７】
[0055]  受信機システム２５０において、送信された変調信号は、ＮR個のアンテナ２５２ａ〜２５２ｒによって受信され得、各アンテナ２５２からの受信された信号は、それぞれの受信機（ＲＣＶＲ）２５４ａ〜２５４ｒに提供され得る。各受信機２５４は、それぞれの受信された信号を調整（例えば、フィルタリング、増幅、およびダウンコンバート）し、サンプルを提供するためにその調整された信号をデジタル化し、対応する「受信された」シンボルストリームを提供するために、そのサンプルをさらに処理し得る。
【００４８】
[0056]  受信（ＲＸ）データプロセッサ２６０は、次いで、ＮT個の「検出された」シンボルストリームを提供するために、ＮR個の受信機２５４からＮR個の受信されたシンボルストリームを受信し、それらを特定の受信機処理技法に基づいて処理する。ＲＸデータプロセッサ２６０は、次いで、データストリームに関するトラフィックデータを復元するために、検出された各シンボルストリームを復調、デインターリーブ、および復号する。ＲＸデータプロセッサ２６０による処理は、送信機システム２１０におけるＴＸ ＭＩＭＯプロセッサ２２０およびＴＸデータプロセッサ２１４によって行われるものに相補的である。
【００４９】
[0057]  コントローラ／プロセッサ２７０は、どのプリコーディング行列を使用するべきかを周期的に決定する。コントローラ／プロセッサ２７０は、行列インデックス部分およびランク値部分を備える逆方向リンクメッセージを形成（formulates）する。メモリ２７２は、受信機システム２５０のためのデータおよびソフトウェア／ファームウェアを記憶し得る。逆方向リンクメッセージは、通信リンクおよび／または受信されたデータストリームに関する様々なタイプの情報を備え得る。逆方向リンクメッセージは、次いで、データソース２３６から多くのデータストリームのためのトラフィックデータも受信するＴＸデータプロセッサ２３８によって処理され、変調器２８０によって変調され、送信機２５４ａ〜２５４ｒによって調整され、送信機システム２１０に返送される。
【００５０】
[0058]  送信機システム２１０において、受信機システム２５０からの変調された信号は、アンテナ２２４によって受信され、受信機２２２によって調整され、復調器２４０によって復調され、受信機システム２５０によって送信された逆方向リンクメッセージを抽出するためにＲＸデータプロセッサ２４２によって処理される。コントローラ／プロセッサ２３０は、次いで、ビームフォーミング重みを決定するためにどのプリコーディング行列を使用するべきかを決定し、次いで、抽出されたメッセージを処理する。
【００５１】
[0059]  ある特定の態様によると、コントローラ／プロセッサ２３０および２７０は、それぞれ、送信機システム２１０および受信機システム２５０における動作を指示し得る。例えば、コントローラ／プロセッサ２７０、ＴＸデータプロセッサ２３８、ＲＸデータプロセッサ２６０、および／または受信機システム２５０における他のコントローラ、プロセッサ、ならびにモジュールは、図５を参照して以下に説明される動作、および／または本明細書に説明されている技法のための他の動作を行うか、あるいは指示するように構成され得る。別の態様によると、コントローラ／プロセッサ２３０、ＴＸデータプロセッサ２１４、ＲＸデータプロセッサ２４２、および／または送信機システム２１０における他のコントローラ、プロセッサ、ならびにモジュールは、図６を参照して以下に説明される動作、および／または本明細書に説明されている技法のための他の動作を行うか、あるいは指示するように構成され得る。
【００５２】
[0060]  図３は、図１に例示されているワイヤレス通信システム内で採用され得るワイヤレスデバイス３０２において利用され得る様々なコンポーネントを例示する。ワイヤレスデバイス３０２は、本明細書に説明される様々な方法をインプリメントするように構成され得るデバイスの例である。ワイヤレスデバイス３０２は、アクセスポイント（例えば、図１に例示されたＡＰ１００）、アクセス端末（例えば、図１に例示されたＡＴ１１６、１２２、および１３０）のいずれか、またはネットワークエンティティ（例えば、図８〜９に例示されたＭＭＥ）であり得る。
【００５３】
[0061]  ワイヤレスデバイス３０２は、ワイヤレスデバイス３０２の動作を制御するコントローラ／プロセッサ３０４を含み得る。コントローラ／プロセッサ３０４は、例えば、中央処理ユニット（ＣＰＵ）とも称され得る。メモリ３０６、これは、読取り専用メモリ（ＲＯＭ）、ランダムアクセスメモリ（ＲＡＭ）、フラッシュメモリ、相変化メモリ（ＰＣＭ；phase change memory）を含み得、コントローラ／プロセッサ３０４に命令およびデータを提供する。メモリ３０６の一部分は、不揮発性ランダムアクセスメモリ（ＮＶＲＡＭ）も含み得る。コントローラ／プロセッサ３０４は、典型的には、メモリ３０６内に記憶されたプログラム命令に基づいて論理および算術演算を行う。メモリ３０６内の命令は、例えば、ＵＥがアップリンクコネクションレス伝送中に安全にデータを送信することを可能にするための、本明細書に説明されている方法をインプリメントするように実行可能であり得る。
【００５４】
[0062]  ワイヤレスデバイス３０２は、また、ワイヤレスデバイス３０２と遠隔ロケーションとの間でのデータの送受信を可能にするための送信機３１０および受信機３１２を含み得る筐体３０８を含み得る。送信機３１０および受信機３１２は、トランシーバ３１４に組み合わされ得る。単一または複数の送信アンテナ３１６が、筐体３０８に取り付けられ、トランシーバ３１４に電気的に結合され得る。ワイヤレスデバイス３０２は、また、（図示されていない）複数の送信機、複数の受信機、および複数のトランシーバを含み得る。
【００５５】
[0063]  ワイヤレスデバイス３０２は、また、トランシーバ３１４によって受信された信号のレベルを検出および定量化することを目指して使用され得る信号検出器３１８も含み得る。信号検出器３１８は、そのような信号を、総エネルギー、シンボルごとのサブキャリア当たりのエネルギー、電力スペクトル密度、および他の信号として検出し得る。ワイヤレスデバイス３０２は、また、信号を処理する際に使用するためのデジタルシグナルプロセッサ（ＤＳＰ）３２０も含み得る。
【００５６】
[0064]  ワイヤレスデバイス３０２の様々なコンポーネントは、バスシステム３２２によって共に結合され得、これは、データバスに加えて、電力バス、制御信号バス、および状態信号バスを含み得る。コントローラ／プロセッサ３０４は、以下に説明される本開示のある特定の態様にしたがって、安全なコネクションレスアップリンクデータ伝送のためのプロシージャを行うためにメモリ３０６に記憶された命令にアクセスするように構成され得る。
【００５７】
[0065]  図４は、本開示のある特定の態様にしたがって、例となるＬＴＥ ＲＡＣＨコンテンションベースのプロシージャのためのメッセージフロー４００を例示する。４０２において、ＵＥは、ＦＤＤの場合ゼロという初期タイミングアドバンスを仮定して、プリアンブル（ＭＳＧ１）を送り得る。典型的には、プリアンブルは、セルに対して割り当てられたプリアンブルのセットの中からＵＥによってランダムに選ばれ、ＭＳＧ３のために要求されるサイズにリンクされ得る。４０４において、ｅＮＢは、ランダムアクセス応答（ＲＡＲ）すなわちＭＳＧ２を送り得る。ＭＳＧ２は、また、ＭＳＧ３のための許可（grant）も示し得る。４０６において、ＵＥは、その許可を使用してＭＳＧ３を送り得る。４０８において、ｅＮＢは、ＭＳＧ３を復号し、ＲＲＣ（無線リソース制御）シグナシングメッセージをエコーバック（echo back）するか、またはＣ−ＲＮＴＩ（cell radio network temporary identifier）でスクランブルされたＵＬ許可（例えば、ＤＣＩ０）を送るかのいずれかを行い得る。
【００５８】
[0066]  上記のように、マシン型通信（ＭＴＣ）デバイス、およびエンハンスドＭＴＣ（ｅＭＴＣ）デバイス、等といった、ある特定のタイプのデバイスは、ほとんどの時間の間、低電力状態（例えば、アイドル状態）にあることが期待され得る。しかしながら、一般には、モバイル着（ＭＴ：mobile terminated）またはモバイル発（ＭＯ：mobile originated）のデータ接続が要求される度に、デバイスは、アイドル状態から接続状態に遷移する。
【００５９】
[0067]  この遷移は、典型的には、ランダムアクセスおよびコンテンションの解決、無線リソース制御（ＲＲＣ）接続のセットアップ、サービス要求、セキュリティの活性化、データ無線ベアラ（ＤＲＢ）の確立、および実際のデータの送受信、といういくつかのステップを伴う。ある特定のデバイス（例えば、ＭＴＣデバイス、等）の場合、一般には、上記のシグナリングオーバーヘッドが、たいてい、交換されているデータ量よりもかなり多い。さらに、ある特定の態様において、デバイスは、データが送受信されるまで、アイドル状態に戻る遷移を行い得ない。例えば、ある特定の状況において、デバイスは、アイドル状態に遷移する前に確認応答（ＡＣＫ）を待たなければならないこともあり、これは電力効率が良くない。
【００６０】
[0068]  したがって、データを送信および／または受信するためにアイドルモードから遷移するときのシグナリングオーバーヘッドを低減することは、電力消費量を低減し得る。本明細書に提示されているある特定の態様によると、ＵＥ（例えば、図１に例示されたＭＴＣデバイス、（１つまたは複数の）ＡＴ、等）は、ＲＲＣ接続モードに入ることに関連するオーバーヘッドなしにＵＥがデータを送信できるように、コネクションレスアクセス伝送を行い得る。ある特定の態様によると、コネクションレスアクセスモードは、完全な（full）ＲＲＣ接続セットアップを必要とすることなく高速遷移を可能にし得る。別の態様によると、ＲＡＣＨプロシージャ（例えば、図４に例示されている）は、コネクションレスアクセスを提供するように修正され得る。
【００６１】
[0069]  上述されたように、ある特定の態様によると、データ伝送に関連するシグナリングオーバーヘッドの量を低減するために、ＵＥは、最初に接続を確立するというオーバーヘッドなしにデータを送信することができ（本明細書においてコネクションレスアクセス伝送と称される）、これは、電力消費を低減し得る。しかしながら、いくつかのケースにおいて、コネクションレス伝送は安全ではないこともある。例えば、ある特定の態様によると、ＵＥが（例えば、コネクションレスアクセス伝送を使用して）メッセージを送信するときに、ＵＥおよび／またはネットワークがまだ認証されていないこともある。
【００６２】
[0070]  しかしながら、本開示の態様は、コネクションレス伝送を送るより前に、ＵＥが暗号化メカニズムをネゴシエートすることを可能にする。例えば、コネクションレス伝送は、ネゴシエーションの成功の後にのみ使用される。ＵＥは、次いで、コネクションレス伝送で送られるデータを暗号化するためにこの暗号化メカニズムを使用し得る。基地局（例えば、ｅＮＢ）は、次いで、ネットワーク（例えば、モビリティ管理エンティティ（ＭＭＥ））と、ＵＥを認証し、それがその次に暗号化されたデータを復号するために使用し得る情報（例えば、鍵、シーケンス番号、等）を受信するステップを取り得る。
【００６３】
[0071]  したがって、本開示の態様は、データを送信する前に（例えば、ネットワークとの）安全な接続を確立する必要なく、安全なデータの送信を可能にし得る。
【００６４】
[0072]  図５、６、および７は、安全なコネクションレス伝送に関与する異なるエンティティによって行われ得る、例となる動作を例示する。
【００６５】
[0073]  例えば、図５は、例えば、ＵＥ（例えば、図１のＭＴＣデバイス、ＡＴ１１６、図２の受信機システム２５０、または図３のワイヤレスデバイス３０２、等）によって行われ得る安全なコネクションレスデータ伝送のための例となる動作５００を例示する。
【００６６】
[0074]  ５０２において、ＵＥは、ネットワークとの安全な接続を、基地局（ＢＳ）を介して確立する。５０４において、ＵＥは、完全な無線リソース制御（ＲＲＣ）接続を確立することなくＵＥがデータを送信するのに使用するための暗号化メカニズムを、安全な接続を介してネゴシエートする。５０６において、ＵＥは、暗号化メカニズムをネゴシエートした後にアイドルモードに入る。５０８において、ＵＥは、ネットワークに転送されるべきデータを暗号化するために、ネゴシエートされた暗号化メカニズムを使用する。５１０において、ＵＥは、完全なＲＲＣ接続を確立することなく、暗号化されたデータを含むパケットをＢＳに送信する。
【００６７】
[0075]  図６は、（例えば、ＵＥによる安全なコネクションレスデータ伝送を提供するために）例えば、ＢＳによって行われ得る、例となる動作６００を例示する。ある特定の態様によると、ＢＳは、図１のＡＰ１００、図２の送信機システム２１０、図３のワイヤレスデバイス３０２、等であり得る。
【００６８】
[0076]  ６０２において、ＢＳは、完全な無線リソース制御（ＲＲＣ）接続を確立していないユーザ機器（ＵＥ）から、暗号化されたデータを備えるパケットを受信する。６０４において、ＢＳは、ＵＥの認証を行うためにネットワークエンティティと通信する。６０６において、ＢＳは、ネットワークエンティティがＵＥを認証した後に、暗号化されたデータを復号するための復号情報をネットワークエンティティから受信する。６０８において、ＢＳは、暗号化されたデータを復号するために復号情報を使用する。
【００６９】
[0077]  図７は、ＵＥによる安全なコネクションレスデータ伝送を提供するように、例えば、ネットワークエンティティによって行われ得る、例となる動作７００を例示する。ある特定の態様によると、ネットワークエンティティは、ＭＭＥ（例えば、図８〜９に例示されている）であり得る。
【００７０】
[0078]  ７０２において、ＭＭＥは、ユーザ機器（ＵＥ）との安全な接続を、基地局（ＢＳ）を介して確立する。７０４において、ＭＭＥは、完全な無線リソース制御（ＲＲＣ）接続を確立することなくＵＥがデータを送信するのに使用するための暗号化メカニズムを、安全な接続を介してネゴシエートする。７０６において、ＭＭＥは、ＵＥの認証を行うために、暗号化されたデータを備えるＵＥからのパケットを受信したＢＳと通信する。７０８において、ＭＭＥは、ＵＥを認証した後に、暗号化されたデータを復号するための復号情報をＢＳに提供する。７１０において、ＭＭＥは、復号情報を使用して復号されたデータをＢＳから受信する。図１０を参照して以下により詳細に説明されることになるように、いくつかのケースにおいて、ＭＭＥおよびＳ−ＧＷは、単一のネットワークエンティティであり得、ＢＳに復号情報を提供するというより、エンティティは、暗号化されたデータをＢＳから受信し、復号情報を使用してそれを復号し得る。
【００７１】
[0079]  上述されたように、ある特定の態様によると、ＵＥが安全な（セキュアな）コネクションレスデータ伝送を送信する前に、ＵＥは、コネクションレス伝送のためのセットアップの一部としての暗号化メカニズムのネゴシエーションのために、（例えば、ＢＳを介して）ＭＭＥと最初にネゴシエートし得る。ある特定の態様によると、コネクションレスアップリンクデータ伝送は、ネゴシエーションの成功および／またはコネクションレス伝送のセットアップの後にのみ試みられ得る。
【００７２】
[0080]  図８は、本開示の態様にしたがって、コネクションレス伝送のためのセットアップの一部としての暗号化メカニズムのネゴシエーションのための、ＵＥ８０２、ＢＳ８０４、およびＭＭＥ８０６（例えば、ネットワークエンティティ）間のメッセージの交換を示す、例となるコールフロー図８００を例示する。ＵＥ８０２は、図１のＭＴＣデバイス、ＡＴ１１６、図２の受信機システム２５０、または図３のワイヤレスデバイス３０２、等のいずれかであり得る。ＢＳ８０４は、図１のＡＰ１００、図２の送信機システム２１０、図３のワイヤレスデバイス３０２、等であり得る。
【００７３】
[0081]  ある特定の態様によると、図８のステップ１に示されているように、ＵＥ８０２およびＭＭＥ８０６（例えば、ネットワークエンティティ）は、例えば、ｅノードＢ（ｅＮＢ）８０４を介して安全な接続を確立し得る。ある特定の態様において、安全な接続は、（例えば、３ＧＰＰ ＬＴＥ、等のための）既存の規格にしたがってインプリメントされる、ＲＲＣ接続および／または安全な（セキュアな）非アクセス層（ＮＡＳ：non-access stratum）接続から成り得る。例えば、安全な接続は、トラッキングエリア更新（ＴＡＵ：tracking area update）メカニズムおよび／またはアタッチプロシージャ（attach procedure）のうちの少なくとも１つを備え得る。別の態様において、安全な接続は、（例えば、現在の規格によって定義されていない）新たなプロシージャを利用してインプリメントされ得る。
【００７４】
[0082]  図８のステップ２および３に示されているように、また図５および７に関して上述されたように、ＵＥ８０２およびＭＭＥ８０６は、完全なＲＲＣ接続を確立することなくＵＥがデータを送信するのに使用するための暗号化メカニズムを、安全な接続を介してネゴシエートし得る。例えば、図８のステップ２に例示されているように、ＵＥ８０２は、コネクションレス伝送のためにＵＥ８０２によってサポートされる１つまたは複数の暗号化メカニズムのリストを含むコネクションレスセットアップ要求を、ＭＭＥ８０６に送信し得る。一旦ＭＭＥ８０６がコネクションレスセットアップ要求を受信すると、ＭＭＥ８０６は、（例えば、図８のステップ３に示されているように）コネクションレス伝送のために使用されるべき暗号化メカニズムの少なくとも１つのインジケーションを備える接続（コネクション）セットアップ応答を送信し得る。示された暗号化メカニズムは、ＵＥ８０２によってサポートされ、および要求の中にリストにされた暗号化メカニズム（例えば、初期のシーケンス番号、鍵、等）のうちの１つに関係している情報であり得る。しかしながら、いくつかのケースにおいて、コネクションレスセットアップ応答は、要求の中にＵＥによってリストにされたもの以外の暗号化メカニズムを示し得る。
【００７５】
[0083]  ある特定の態様によると、図８のステップ４に示されているように、ＭＭＥ８０６およびＵＥ８０２が、コネクションレス伝送のためのセットアップの一部として暗号化メカニズムを成功裏にネゴシエートした（例えば、ＭＭＥがコネクションレスセットアップ要求を受諾した）場合、接続が解除され得、ＵＥ８０２はアイドルモードに入り得る。ＵＥ８０２は、ネゴシエーションの成功の後（例えば、何らかの時間期間の間または別途示されるまで）、コネクションレス伝送を使用することを試み得る。ＵＥ８０２は、ＵＥ８０２とＭＭＥ８０６との間の完全なＲＲＣ接続を確立することなくデータを送信するためにコネクションレス伝送を使用し得る。例えば、１つの実施形態において、ＵＥ８０２は、ＲＲＣ接続モードに入ることなく、コネクションレス伝送を使用してデータを送信し得る。１つの実施形態において、ＵＥ８０２は、ＵＥ８０２とＭＭＥ８０６との間に少なくとも１つのデータ無線ベアラを確立することなく、コネクションレス伝送を使用してデータを送信し得る。代替的に、ＭＭＥ８０６がＵＥ８０２からの要求を拒否または無視した場合、ＵＥ８０２は、コネクションレス伝送を使用することを試みなくてもよい。ステップ３および４は、スタンドアロンメッセージか、または既存のメッセージにピギーバックされた（piggy-backed）メッセージを含み得る。
【００７６】
[0084]  本明細書に提供されている態様によると、コネクションレスセットアップ要求メッセージおよびコネクションレスセットアップ応答メッセージは、既存のＮＡＳメッセージの一部として提供され得るか、または新たなメッセージを介して提供され得る。別の態様によると、成功した暗号化メカニズムのネゴシエーションおよび／またはコネクションレス伝送のためのセットアップは、何らかの時間期間にわたり有効であり得る。例えば、成功したネゴシエーションは、満了時間（例えば、２４時間、４８時間、等）の満了時に満了し得るか、一旦ＵＥがｅＮＢおよび／またはネットワークからの指定エリアの外に出ると満了し得るか、または他の何らかの基準で満了し得る（例えば、ネットワークは、任意の時間に、ネゴシエートされた暗号化メカニズムを取り消し得る）。
【００７７】
[0085]  図９は、（例えば、図８に示されている動作が行われたと仮定した、）安全な（セキュアな）コネクションレスＵＬデータ伝送のための例となるコールフロー図９００を例示する。（例えば、図８に関して）上述されたように、１つの態様において、ＵＥ８０２は、コネクションレス伝送のためのセットアップの一部としての暗号化メカニズムのネゴシエーションの成功の後まで、安全なコネクションレスＵＬデータ伝送を試みなくてもよい。図９の動作は、図８にあるような初期のネゴシエーションなしに複数回起きることもある。
【００７８】
[0086]  ある特定の態様によると、上述されたように、暗号化メカニズムのネゴシエーションの成功の後、ＵＥ８０２は、（例えば、ｅＮＢを介して）ネットワークに転送されるべきデータを暗号化するために、ネゴシエートされた暗号化メカニズムを使用し得る。ある態様において、ＵＥ８０２は、次いで、暗号化されたデータを含むパケットを送信するためにｅＮＢ８０４からのリソースを要求し得る。したがって、図９のステップ１に示されているように、ｅＮＢ８０４が要求されたリソースをＵＥ８０２に提供する場合、ＵＥ８０２は、コネクションレス伝送を使用してｅＮＢ８０４に暗号化されたデータを含むパケットを送信し得る。ある態様によると、ＵＥ８０２は、完全なＲＲＣ接続を確立することなく（例えば、ＵＥとＭＭＥ８０６との間にいずれのデータ無線ベアラも確立することなく、ＲＲＣ接続モードに入らない、等）パケットを送信することによって、コネクションレス伝送を使用し得る。別の態様によると、パケットは、サービス要求の一部として送信され得る。
【００７９】
[0087]  いくつかのケースにおいて、暗号化されたデータを含む送信されたパケットは、ネットワークがＵＥ８０２を認証するためのメカニズムまたは手段を備え得る。例えば、そのメカニズムまたは手段は、ＵＥ８０２の媒体アクセス制御（ＭＡＣ）アドレスまたはショートＭＡＣアドレスのうちの少なくとも１つを含み得る。
【００８０】
[0088]  図９のステップ２に示されているように、ＲＲＣ接続モード中ではないＵＥ８０２から、暗号化されたデータを備えるパケットを受信した後、ｅＮＢ８０４は、次いで、ＵＥ８０２の認証を行うためにＭＭＥ８０６（例えば、ネットワークエンティティ）と通信し得る。例えば、図９に示されているように、ｅＮＢ８０４は、ＵＥ８０２から受信された認証情報（例えば、ＵＥのＭＡＣアドレスまたはショートＭＡＣアドレス）を有するメッセージをＭＭＥ８０６に送信し得る。ある態様において、ｅＮＢ８０４は、また、それのアドレス（例えば、ｅＮＢアドレス）、および／またはユーザプレーン送信のためのトンネル情報（例えば、（１つまたは複数の）Ｓ１ ＴＥＩＤ（ＤＬ）（トンネルエンドポイント識別子（ダウンリンク）（tunnel endpoint identifiers (downlink)））も含み得る。
【００８１】
[0089]  図９のステップ３に示されているように、ＵＥ８０２を認証するのに必要とされる情報（例えば、ＵＥのＭＡＣアドレスまたはショートＭＡＣアドレス）を含むメッセージを、ＭＭＥ８０６が一旦ｅＮＢ８０４から受信すると、ＭＭＥ８０６は、例えば、ＵＥのＭＡＣアドレスまたはショートＭＡＣアドレスを利用して、ＵＥを認証し得る。
【００８２】
[0090]  図９のステップ４に示されているように、ＭＭＥ８０６は、次いで、ｅＮＢ８０４に暗号化されたデータを復号するための復号情報を提供し得る。例えば、図９に示されているように、ＭＭＥ８０６は、復号情報（例えば、セキュリティコンテキスト）をｅＮＢ８０４に提供し得る。別の実施形態において、ｅＮＢ８０４に復号情報を提供することに加えて、またはその代わりに、ＭＭＥ８０６は、暗号化されたデータを復号するために復号情報を使用し得る。ある態様において、ＭＭＥ８０６は、また、ｅＮＢにサービングゲートウェイ（Ｓ−ＧＷ）情報（例えば、Ｓ−ＧＷアドレス）および／またはトンネル情報（例えば、（１つまたは複数の）Ｓ１ ＴＥＩＤ（ＵＬ）（トンネルエンドポイント識別子（アップリンク））も提供し得る。別の態様において、ＭＭＥ８０６は、ＵＥ８０２がネットワークを認証するためのＭＡＣアドレスまたはショートＭＡＣアドレスを（ｅＮＢ８０４に）提供し得る。図９のステップ５に示されているように、ｅＮＢ８０４は、ＵＥ８０２によって送信されたパケット内の暗号化されたデータ（例えば、スモールデータパケット、等）を復号するために、ＭＭＥ８０６から受信された復号情報を使用し得る。
【００８３】
[0091]  図９のステップ６に示されているように、暗号化されたデータを成功裏に復号した後、ｅＮＢ８０４は、ｅＮＢ８０４が暗号化されたデータを成功裏に復号したことを確認応答するメッセージ（例えば、確認応答（ＡＣＫ））をＵＥ８０２に送り得る。ある特定の態様において、このＡＣＫは、ＵＥ８０２が、それが正しいネットワークにメッセージを送ったことを知るための認証されたＡＣＫであり得る。この安全な（セキュアな）ＡＣＫは、ＡＣＫの中にＭＭＥ提供のＭＡＣまたはショートＭＡＣを含めるｅＮＢ８０４によって行われ得る。ある特定の態様において、メッセージは、ページングメッセージを備え得る（よって、ＵＥが、アイドルに戻ることと、確認応答を示すページングメッセージをチェックするためにウェイクアップすることとを可能にする）。ある態様において、ＡＣＫは、ページングメッセージ、ページングメッセージの後の別のメッセージおよび／または別個のリソースに含まれ得る。別の態様において、単なるページングメッセージの送信それ自体が、ｅＮＢ８０４が暗号化されたデータを成功裏に復号したという確認応答を示し得る。例えば、ページングメッセージは、その接続が依然としてアクティブであることをＵＥ８０２に知らせる（言い換えると、例えば、図８のプロシージャを使用する再確立は必要とされない）。さらに別の態様において、メッセージは、ＵＥ８０２がネットワークを認証するためのメカニズムまたは手段を備え得る。例えば、そのメカニズムまたは手段は、ＭＡＣアドレスまたはショートＭＡＣアドレスのうちの少なくとも１つを含み得る。さらに、さらに別の態様によると、ＵＥ８０２は、まだアイドルモード中のうちにメッセージを受信し得る。
【００８４】
[0092]  ある特定の態様によると、ＵＥは、パケットを送信した後、ｅＮＢ８０４が暗号化されたデータを成功裏に復号したという確認応答（ＡＣＫ）をＵＥが受信していないことを決定し得る（または、明示的な否定確認応答−ＮＡＫを受信する）。いずれのケースでも、ＵＥ８０２は、その決定に応じてパケットを再送し得る。
【００８５】
[0093]  ある特定の態様によると、サービス要求を受信してＵＥ８０２を認証した後、ＭＭＥ８０６、Ｓ−ＧＷ９０２、およびＰ−ＧＷ９０４は、（例えば、図９のステップ７〜１０に示されているように）送信されたデータパケットを転送するために、ベアラを修正および／または更新するように協力し得る。
【００８６】
[0094]  図９に例示されたコールフローが、安全なコネクションレス伝送に関与する異なるエンティティの単なる１つの例を例示していることに留意されたい。例えば、いくつかのケースにおいて、ＭＭＥ８０６およびＳ−ＧＷ９０２は、共通のネットワークエンティティであり得る。このケースにおいて、ＭＭＥ８０６がｅＮＢに復号情報を送るというよりむしろ、ｅＮＢが、暗号化されたデータを送り得、ＭＭＥ／Ｓ−ＧＷが、データを復号し、復号情報を使用してそれを復号し得る。図１０は、そのようなエンティティが行うことができる、例となる動作１０００を例示する。例示されているように、動作１００２〜１００６は、上述された図７の動作７０２〜７０６と同じであり得る。しかしながら、ＵＥを認証した後に、暗号化されたデータを復号するための復号情報をＢＳに提供し（７０８による）、復号情報を使用して復号されたデータをＢＳから受信する（７１０による）というよりむしろ、エンティティは、（１００８において）暗号化されたデータをＢＳから受信し、（１０１０において）暗号化されたデータを復号するために復号情報を使用し得る。
【００８７】
[0095]  上述された方法の様々な動作は、対応する機能または動作を実行することが可能な任意の好適な手段によって行われ得る。この手段は、限定ではなく、回路、特定用途向け集積回路（ＡＳＩＣ）、またはプロセッサを含む、様々なハードウェアおよび／または（１つまたは複数の）ソフトウェア／ファームウェアコンポーネントならびに／あるいは（１つまたは複数の）モジュールを含み得る。一般に、図面に例示された動作がある場合、それらの動作は、その動作を行うことが可能な対応する機能的手段によって行われ得る。１つの構成において、ＵＥ８０２は、ネットワークとの安全な接続（セキュアなコネクション）を、基地局（ＢＳ）を介して確立するための手段と、完全な無線リソース制御（ＲＲＣ）接続を確立することなく、ＵＥがデータを送信するのに使用するための暗号化メカニズムを、安全な接続を介してネゴシエートするための手段と、暗号化メカニズムをネゴシエートした後にアイドルモードに入るための手段と、ネットワークに転送されるべきデータを暗号化するために、ネゴシエートされた暗号化メカニズムを使用するための手段と、完全なＲＲＣ接続を確立することなく、暗号化されたデータを含むパケットをＢＳに送信するための手段と、を含む。１つの態様において、上記の手段は、上記手段によって記載された機能を行うように構成された、アンテナ２５２、トランシーバ２５４、コントローラ／プロセッサ２７０、メモリ２７２、送信データプロセッサ２３８、受信データプロセッサ２６０、変調器２８０、またはこれらの組み合わせであり得る。１つの構成において、ｅＮＢ８０４は、完全な無線リソース制御（ＲＲＣ）接続を確立していないユーザ機器（ＵＥ）から、暗号化されたデータを備えるパケットを受信するための手段と、ＵＥの認証を行うためにネットワークエンティティと通信するための手段と、ネットワークエンティティがＵＥを認証した後に、暗号化されたデータを復号するための復号情報をネットワークエンティティから受信するための手段と、暗号化されたデータを復号するために復号情報を使用するための手段と、を含む。１つの態様において、上記の手段は、上記手段によって記載された機能を行うように構成された、アンテナ２２４、トランシーバ２２２、コントローラ／プロセッサ２３０、メモリ２３２、送信データプロセッサ２１４、送信ＭＩＭＯプロセッサ２２０、受信データプロセッサ２４２、復調器２４０、またはこれらの組み合わせであり得る。
【００８８】
[0096]  本明細書で使用されるとき、「決定すること」という用語は、幅広いアクションを包含する。例えば、「決定すること」は、計算すること、算出すること、処理すること、導出すること、調査すること、ルックアップすること（例えば、テーブル、データベース、または別のデータ構造内をルックアップすること）、確かめること、および同様のことを含み得る。また、「決定すること」は、受信すること（例えば、情報を受信すること）、アクセスすること（例えば、メモリ内のデータにアクセスすること）、および同様のことを含み得る。また、「決定すること」は、解決すること、選択すること、選ぶこと、確立すること、および同様のことを含み得る。
【００８９】
[0097]  本明細書で使用されるとき、項目のリスト「のうちの少なくとも１つ」を指すフレーズは、単一のメンバおよび複製のメンバを含む、それらの項目の任意の組み合わせを指す。例として、「ａ、ｂ、またはｃのうちの少なくとも１つ」は、ａ、ｂ、ｃ、ａ−ｂ、ａ−ｃ、ｂ−ｃ、ａ−ｂ−ｃ、ａａ、ａｂｂ、ａｂｃｃｃ、等をカバーすることが意図されている。
【００９０】
[0098]  本開示に関連して説明された様々な例示的な論理ブロック、モジュール、および回路は、本明細書で説明された機能を行うように設計された、汎用プロセッサ、デジタルシグナルプロセッサ（ＤＳＰ）、特定用途向け集積回路（ＡＳＩＣ）、フィールドプログラマブルゲートアレイシグナル（ＦＰＧＡ）、または他のプログラマブル論理デバイス（ＰＬＤ）、ディスクリートゲートまたはトランジスタ論理、ディスクリートハードウェアコンポーネント、あるいはそれらの任意の組み合わせを用いて、インプリメントまたは実行され得る。汎用プロセッサは、マイクロプロセッサであり得るが、その代わりに、プロセッサは、商業的に入手可能な任意のプロセッサ、コントローラ、マイクロコントローラ、またはステートマシンであり得る。プロセッサは、また、例えば、ＤＳＰとマクロプロセッサの組み合わせ、複数のマイクロプロセッサ、ＤＳＰコアに連結した１つまたは複数のマイクロプロセッサ、または他の任意のそのような構成といった、コンピューティングデバイスの組み合わせとしてインプリメントされ得る。
【００９１】
[0099]  本開示に関連して説明された方法またはアルゴリズムのステップは、ハードウェアにおいて直接的に、プロセッサによって実行されるソフトウェア／ファームウェアモジュールにおいて、またはその２つの組み合わせにおいて具現化され得る。ソフトウェア／ファームウェモジュールは、当該技術で知られている任意の形態の記憶媒体に存在し得る。使用され得る記憶媒体のうちのいくつかの例は、ランダムアクセスメモリ（ＲＡＭ）、読取専用メモリ（ＲＯＭ）、フラッシュメモリ、ＥＰＲＯＭメモリ、ＥＥＰＲＯＭ（登録商標）メモリ、相変化メモリ（ＰＣＭ）、レジスタ、ハードディスク、リムーバブルディスク、ＣＤ−ＲＯＭ、等を含む。ソフトウェア／ファームウェアモジュールは、単一の命令または多くの命令を備え得、いくつかの異なるコードセグメントにわたって、異なるプログラム間で、および複数の記憶媒体にわたって、分配され得る。記憶媒体は、プロセッサが記憶媒体から情報を読み取り、記憶媒体に情報を書き込むことができるように、プロセッサに結合され得る。代替として、記憶媒体は、プロセッサに一体化され得る。
【００９２】
[00100]  本明細書に開示された方法は、説明された方法を達成するための１つまたは複数のステップまたはアクションを備える。方法のステップおよび／またはアクションは、本願の特許請求の範囲から逸脱せずに、互いに置き換えられ得る。言い換えると、ステップまたはアクションの特定の順序が特定されていない限り、特定のステップおよび／またはアクションの順序および／または使用は、特許請求の範囲から逸脱することなく修正され得る。
【００９３】
[00101]  説明された機能は、ハードウェア、ソフトウェア／ファームウェア、またはこれらの組み合わせにインプリメントされ得る。ソフトウェア／ファームウェアにインプリメントされる場合、機能は、コンピュータ読取可能媒体上に、１つまたは複数の命令として記憶され得る。記憶媒体は、コンピュータによってアクセスされることができる任意の利用可能な媒体であり得る。限定ではなく例として、そのようなコンピュータ可読媒体は、ＲＡＭ、ＲＯＭ、ＰＣＭ（相変化メモリ）、ＥＥＰＲＯＭ、ＣＤ−ＲＯＭあるいは他の光ディスク記憶装置、磁気ディスク記憶装置あるいは他の磁気記憶デバイス、または、命令あるいはデータ構造の形態で所望のプログラムコードを記憶または搬送するために使用されることができ、およびコンピュータによってアクセスされることができる、任意の他の媒体を備えることができる。本明細書で使用されるディスク（disk）およびディスク（disc）は、コンパクトディスク（ＣＤ）、レーザーディスク（登録商標）、光ディスク、デジタルバーサタイルディスク（ＤＶＤ）、フロッピー（登録商標）ディスク、およびＢｌｕ−ｒａｙ（登録商標）ディスクを含み、ここで、ディスク（disk）は通常、磁気的にデータを再生するが、ディスク（disc）は、レーザーを用いて光学的にデータを再生する。
【００９４】
[00102]  したがって、ある特定の態様は、本明細書に提示された動作を行うためのコンピュータプログラム製品を備え得る。例えば、そのようなコンピュータプログラム製品は、命令を記憶した（および／または符号化した）コンピュータ可読媒体を備え得、それら命令は、本明細書に説明された動作を行うために、１つまたは複数のプロセッサによって実行可能である。ある特定の態様では、コンピュータプログラム製品は、パーケージ材料を含み得る。
【００９５】
[00103]  ソフトウェア／ファームウェアまたは命令は、また、伝送媒体を介して送信され得る。例えば、ソフトウェア／ファームウェアが、同軸ケーブル、光ファイバーケーブル、ツイストペア、デジタル加入者回線（ＤＳＬ）、または赤外線、無線、およびマイクロ波のようなワイヤレス技術を使用して、ウェブサイト、サーバ、または他の遠隔ソースから送信される場合、同軸ケーブル、光ファイバーケーブル、ツイストペア、ＤＳＬ、または赤外線、無線、およびマイクロ波のようなワイヤレス技術は、伝送媒体の定義に含まれる。
【００９６】
[00104]  さらに、本明細書に説明された方法および技法を行うためのモジュールおよび／または他の適切な手段が、ダウンロードされ得ること、および／または、そうでなければ、適用可能な場合、ユーザ端末および／または基地局によって取得され得ることが理解されるべきである。例えば、そのようなデバイスは、本明細書に説明された方法を行うための手段の転送を容易にするために、サーバに結合されることができる。代替的に、本明細書に説明される様々な方法は、ユーザ端末および／または基地局が、記憶手段をデバイスに結合または提供すると様々な方法を取得することができるように、記憶手段（例えば、ＲＡＭ、ＲＯＭ、コンパクトディスク（ＣＤ）またはフロッピーディスクのような物理的記憶媒体、等）を介して提供されることができる。さらに、本明細書に説明された方法および技法をデバイスに提供するための他の任意の好適な技法が利用されることができる。
【００９７】
[00105]  本願の特許請求の範囲が、上に例示された構成およびコンポーネントそのものに限定されないことが理解されるべきである。様々な修正、変更、および変形が、本願の特許請求の範囲から逸脱せずに、上述された方法および装置の配列、動作、および詳細においてなされ得る。
【００９８】
[00106]  前述の内容は本開示の態様を対象としているが、本開示の他の態様およびさらなる態様が、その基本的な範囲から逸脱せずに考案されることができ、その範囲は、下記の特許請求の範囲によって決定される。
【図１】
2020043572.tif 000003
【図２】
2020043572.tif 000004
【図３】
2020043572.tif 000005
【図４】
2020043572.tif 000006
【図５】
2020043572.tif 000007
【図６】
2020043572.tif 000008
【図７】
2020043572.tif 000009
【図８】
2020043572.tif 000010
【図９】
2020043572.tif 000011
【図１０】
2020043572.tif 000012
【手続補正書】
【提出日】令和1年11月29日(2019.11.29)
【手続補正１】
【補正対象書類名】特許請求の範囲
【補正対象項目名】全文
【補正方法】変更
【補正の内容】
【特許請求の範囲】
【請求項１】
ユーザ機器（ＵＥ）によるワイヤレス通信のための方法であって、
ネットワークとの安全な接続を、基地局（ＢＳ）を介して確立することと、ここにおいて、前記安全な接続を確立することは、トラッキングエリア更新（ＴＡＵ）またはアタッチプロシージャのうちの少なくとも１つを備える、
前記ＵＥがデータを送信するのに使用するための暗号化メカニズムを、前記安全な接続を介してネゴシエートすることと、
前記暗号化メカニズムをネゴシエートした後に、アイドルモードに入ることと、
前記ネットワークに送信されるべきデータを暗号化するために、前記アイドルモードからの遷移後に、前記ネゴシエートされた暗号化メカニズムを使用することと、
前記暗号化されたデータを備えるパケットを前記ＢＳに送信することと、
を備える、方法。
【請求項２】
前記暗号化メカニズムをネゴシエートすることは、
コネクションレスセットアップを求める要求を送信することと、ここにおいて、前記要求は、前記ＵＥによってサポートされた１つまたは複数の暗号化メカニズムを示す、
前記サポートされた暗号化メカニズムのうちの１つを示す応答を受信することと、
を備える、請求項１に記載の方法。
【請求項３】
前記暗号化されたデータを備える前記パケットを送信するためのリソースを求める要求を前記ＢＳに送信すること、
をさらに備える、請求項１に記載の方法。
【請求項４】
前記パケットは、前記ネットワークが前記ＵＥを認証するためのメカニズムをさらに備える、請求項１に記載の方法。
【請求項５】
前記パケットを送信した後に、前記ＢＳが前記暗号化されたデータを成功裏に復号したことを確認応答するメッセージを受信することをさらに備える、請求項１に記載の方法。
【請求項６】
前記メッセージは、ページングメッセージを備える、請求項５に記載の方法。
【請求項７】
前記ページングメッセージの送信は、前記ＢＳが前記暗号化されたデータを成功裏に復号したという確認応答を示す、請求項６に記載の方法。
【請求項８】
前記メッセージは、前記ＵＥが前記ネットワークを認証するためのメカニズムを備える、請求項５に記載の方法。
【請求項９】
前記パケットを送信した後に、
前記ＢＳが前記暗号化されたデータを成功裏に復号したという確認応答（ＡＣＫ）を前記ＵＥが受信していないと決定することと、
前記決定に応じて前記パケットを再送することと、
をさらに備える、請求項１に記載の方法。
【請求項１０】
基地局（ＢＳ）による、ネットワークにおけるワイヤレス通信のための方法であって、
ユーザ機器（ＵＥ）からの暗号化されたデータおよび前記ネットワークが前記ＵＥを認証するためのメカニズムを備えるパケットを受信することと、
前記メカニズムをネットワークエンティティに提供することを備える、前記ＵＥの認証を行うために前記ネットワークエンティティと通信することと、
前記ネットワークエンティティが前記ＵＥを認証した後に、前記暗号化されたデータを復号するための復号情報を、前記ネットワークエンティティから受信することと、
前記暗号化されたデータを復号するために、前記復号情報を使用することと、
を備える、方法。
【請求項１１】
前記暗号化されたデータを成功裏に復号した後に、前記ＢＳが前記暗号化されたデータを成功裏に復号したことを確認応答するメッセージを前記ＵＥに送ることをさらに備える、請求項１０に記載の方法。
【請求項１２】
前記メッセージは、ページングメッセージを備える、請求項１１に記載の方法。
【請求項１３】
前記ページングメッセージの送信は、前記ＢＳが前記暗号化されたデータを成功裏に復号したという確認応答を示す、請求項１２に記載の方法。
【請求項１４】
前記メッセージは、前記ＵＥが前記ネットワークを認証するためのメカニズムを備える、請求項１１に記載の方法。
【請求項１５】
ネットワークエンティティによる、ネットワークにおけるワイヤレス通信のための方法であって、
ユーザ機器（ＵＥ）との安全な接続を、基地局（ＢＳ）を介して確立することと、
前記ＵＥがデータを送信するのに使用するための暗号化メカニズムを、前記安全な接続を介してネゴシエートすることと、
前記ＵＥの認証を行うために前記ＢＳと通信することと、ここにおいて、暗号化されたデータは、前記ＵＥから前記ＢＳによってパケット中で受信され、
前記ＵＥの前記認証後に、
前記ＵＥが前記ネットワークを認証するための少なくとも１つのメカニズムを前記ＢＳに提供することと、
前記暗号化されたデータを復号するための復号情報を前記ＢＳに提供することと、
前記復号情報を使用して復号されたデータを前記ＢＳから受信することと、
を備える、方法。
【請求項１６】
前記ネゴシエートすることは、
前記ＵＥからコネクションレスセットアップを求める要求を受信することと、ここにおいて、前記要求は、前記ＵＥによってサポートされた１つまたは複数の暗号化メカニズムを示す、
前記サポートされた暗号化メカニズムのうちの１つを示す応答を送信することと、
を備える、請求項１５に記載の方法。
【請求項１７】
前記パケット中で、前記ネットワークが前記ＵＥを認証するための少なくとも１つのメカニズムを前記ＢＳから受信することと、
前記ＵＥを認証するために前記少なくとも１つのメカニズムを使用することと、
をさらに備える、請求項１５に記載の方法。
【請求項１８】
ネットワークエンティティによる、ネットワークにおけるワイヤレス通信のための方法であって、
ユーザ機器（ＵＥ）との安全な接続を、基地局（ＢＳ）を介して確立することと、ここにおいて、前記安全な接続を確立することは、トラッキングエリア更新（ＴＡＵ）またはアタッチプロシージャのうちの少なくとも１つを備える、
前記ＵＥがデータを送信するのに使用するための暗号化メカニズムを、前記安全な接続を介してネゴシエートすることと、
前記ＵＥの認証を行うために前記ＢＳと通信することと、ここにおいて、暗号化されたデータは、前記ＵＥから前記ＢＳによってパケット中で受信され、
前記暗号化されたデータを前記ＢＳから受信することと、
前記暗号化されたデータを復号するために復号情報を使用することと、
を備える、方法。
【請求項１９】
前記暗号化メカニズムをネゴシエートすることは、
前記ＵＥからコネクションレスセットアップを求める要求を受信することと、ここにおいて、前記要求は、前記ＵＥによってサポートされた１つまたは複数の暗号化メカニズムを示す、
前記サポートされた暗号化メカニズムのうちの１つを示す応答を送信することと、
を備える、請求項１８に記載の方法。
【請求項２０】
前記パケット中で、前記ネットワークが前記ＵＥを認証するための少なくとも１つのメカニズムを前記ＢＳから受信することと、
前記ＵＥを認証するために前記少なくとも１つのメカニズムを使用することと、
をさらに備える、請求項１８に記載の方法。
【請求項２１】
前記ＵＥの前記認証後に、前記ＵＥが前記ネットワークを認証するための少なくとも１つのメカニズムを前記ＢＳに提供することをさらに備える、請求項１８に記載の方法。
【手続補正２】
【補正対象書類名】明細書
【補正対象項目名】００２４
【補正方法】変更
【補正の内容】
【００２４】
【図１】[0024]  本開示のある特定の態様にしたがった、例となる多元接続ワイヤレス通信システムを例示する図。
【図２】[0025]  本開示のある特定の態様にしたがった、アクセスポイントおよびユーザ端末のブロック図を例示する図。
【図３】[0026]  本開示のある特定の態様にしたがった、ワイヤレスデバイスにおいて利用され得る様々なコンポーネントを例示する図。
【図４】[0027]  本開示のある特定の態様にしたがった、ＬＴＥ ＲＡＣＨコンテンションベースのプロシージャのためのメッセージフローを例示する図。
【図５】[0028]  本開示のある特定の態様にしたがった、ＵＥによって行われ得る、例となる動作を例示する図。
【図６】[0029]  本開示のある特定の態様にしたがった、基地局（ＢＳ）によって行われ得る、例となる動作を例示する図。
【図７】[0030]  本開示のある特定の態様にしたがった、ネットワークエンティティによって行われ得る、例となる動作を例示する図。
【図８】[0031]  本開示のある特定の態様にしたがった、暗号化メカニズムのネゴシエーションとコネクションレス伝送のセットアップのための例となるコールフローを例示する図。
【図９】[0032]  本開示のある特定の態様にしたがった、（１つまたは複数の）安全な（セキュアな）コネクションレスアップリンクデータ伝送のための例となるコールフローを例示する図。
【図１０】本開示のある特定の態様にしたがった、ネットワークエンティティによって行われ得る、例となる動作を例示する図。
【手続補正３】
【補正対象書類名】明細書
【補正対象項目名】００９８
【補正方法】変更
【補正の内容】
【００９８】
[00106]  前述の内容は本開示の態様を対象としているが、本開示の他の態様およびさらなる態様が、その基本的な範囲から逸脱せずに考案されることができ、その範囲は、下記の特許請求の範囲によって決定される。
以下に、本願の出願当初の特許請求の範囲に記載された発明を付記する。
［Ｃ１］
ユーザ機器（ＵＥ）によるワイヤレス通信のための方法であって、
ネットワークとの安全な接続を、基地局（ＢＳ）を介して確立することと、
完全な無線リソース制御（ＲＲＣ）接続を確立することなく、前記ＵＥがデータを送信するのに使用するための暗号化メカニズムを、前記安全な接続を介してネゴシエートすることと、
前記暗号化メカニズムをネゴシエートした後に、アイドルモードに入ることと、
前記ネットワークに送信されるべきデータを暗号化するために、前記ネゴシエートされた暗号化メカニズムを使用することと、
前記完全なＲＲＣ接続を確立することなく、前記暗号化されたデータを含むパケットを前記ＢＳに送信することと、
を備える、方法。
［Ｃ２］
前記ネゴシエートすることは、
コネクションレスセットアップを求める要求を送信することと、ここにおいて、前記要求は、前記ＵＥによってサポートされた１つまたは複数の暗号化メカニズムを示す、
前記サポートされた暗号化メカニズムのうちの１つを示す応答を受信することと、
を備える、Ｃ１に記載の方法。
［Ｃ３］
前記安全な接続を確立することは、トラッキングエリア更新（ＴＡＵ）またはアタッチプロシージャのうちの少なくとも１つを備える、Ｃ１に記載の方法。
［Ｃ４］
前記暗号化されたデータを含む前記パケットを送信するためのリソースを求める要求を前記ＢＳに送信すること、
をさらに備える、Ｃ１に記載の方法。
［Ｃ５］
前記パケットは、前記ネットワークが前記ＵＥを認証するためのメカニズムをさらに備え、前記メカニズムは、媒体アクセス制御（ＭＡＣ）アドレスまたはショートＭＡＣアドレスのうちの少なくとも１つを備える、Ｃ１に記載の方法。
［Ｃ６］
前記完全なＲＲＣ接続を確立することは、前記ＵＥと前記ネットワークとの間に少なくとも１つのデータ無線ベアラを確立することを備える、Ｃ１に記載の方法。
［Ｃ７］
前記パケットを送信した後に、前記ＢＳが前記暗号化されたデータを成功裏に復号したことを確認応答するメッセージを受信することをさらに備える、Ｃ１に記載の方法。
［Ｃ８］
前記メッセージは、ページングメッセージを備える、Ｃ７に記載の方法。
［Ｃ９］
前記ページングメッセージの送信は、前記ＢＳが前記暗号化されたデータを成功裏に復号したという確認応答を示す、Ｃ８に記載の方法。
［Ｃ１０］
前記メッセージは、前記ＵＥが前記ネットワークを認証するためのメカニズムを備える、Ｃ７に記載の方法。
［Ｃ１１］
前記メカニズムは、媒体アクセス制御（ＭＡＣ）アドレスまたはショートＭＡＣアドレスのうちの少なくとも１つを備える、Ｃ１０に記載の方法。
［Ｃ１２］
前記パケットを送信した後に、
前記ＢＳが前記暗号化されたデータを成功裏に復号したという確認応答（ＡＣＫ）を前記ＵＥが受信していないと決定することと、
前記決定に応じて前記パケットを再送することと、
をさらに備える、Ｃ１に記載の方法。
［Ｃ１３］
基地局（ＢＳ）による、ネットワークにおけるワイヤレス通信のための方法であって、
完全な無線リソース制御（ＲＲＣ）接続を確立していないユーザ機器（ＵＥ）から、暗号化されたデータを備えるパケットを受信することと、
前記ＵＥの認証を行うためにネットワークエンティティと通信することと、
前記ネットワークエンティティが前記ＵＥを認証した後に、前記暗号化されたデータを復号するための復号情報を、前記ネットワークエンティティから受信することと、
前記暗号化されたデータを復号するために、前記復号情報を使用することと、  を備える、方法。
［Ｃ１４］
前記パケットは、前記ネットワークが前記ＵＥを認証するためのメカニズムをさらに備え、
前記ＵＥの認証を行うために前記ネットワークエンティティと通信することは、前記メカニズムを前記ネットワークエンティティに提供することを備える、
Ｃ１３に記載の方法。
［Ｃ１５］
前記メカニズムは、媒体アクセス制御（ＭＡＣ）アドレスまたはショートＭＡＣアドレスのうちの少なくとも１つを備える、Ｃ１４に記載の方法。
［Ｃ１６］
前記暗号化されたデータを成功裏に復号した後に、前記ＢＳが前記暗号化されたデータを成功裏に復号したことを確認応答するメッセージを前記ＵＥに送ることをさらに備える、Ｃ１３に記載の方法。
［Ｃ１７］
前記メッセージは、ページングメッセージを備える、Ｃ１６に記載の方法。
［Ｃ１８］
前記ページングメッセージの送信は、前記ＢＳが前記暗号化されたデータを成功裏に復号したという確認応答を示す、Ｃ１７に記載の方法。
［Ｃ１９］
前記メッセージは、前記ＵＥが前記ネットワークを認証するためのメカニズムを備え、前記メカニズムは、媒体アクセス制御（ＭＡＣ）アドレスまたはショートＭＡＣアドレスのうちの少なくとも１つを備える、Ｃ１６に記載の方法。
［Ｃ２０］
前記完全なＲＲＣ接続の前記確立は、前記ＵＥと前記ネットワークエンティティとの間の少なくとも１つのデータ無線ベアラの確立を備える、Ｃ１３に記載の方法。
［Ｃ２１］
ネットワークエンティティによる、ネットワークにおけるワイヤレス通信のための方法であって、
ユーザ機器（ＵＥ）との安全な接続を、基地局（ＢＳ）を介して確立することと、
完全な無線リソース制御（ＲＲＣ）接続を確立することなく、前記ＵＥがデータを送信するのに使用するための暗号化メカニズムを、前記安全な接続を介してネゴシエートすることと、
前記ＵＥの認証を行うために前記ＢＳと通信することと、ここにおいて、暗号化されたデータは、前記ＵＥから前記ＢＳによってパケット中で受信され、
前記ＵＥを認証した後に、前記暗号化されたデータを復号するための復号情報を前記ＢＳに提供することと、
前記復号情報を使用して復号されたデータを前記ＢＳから受信することと、
を備える、方法。
［Ｃ２２］
前記ネゴシエートすることは、
前記ＵＥからコネクションレスセットアップを求める要求を受信することと、ここにおいて、前記要求は、前記ＵＥによってサポートされた１つまたは複数の暗号化メカニズムを示す、
前記サポートされた暗号化メカニズムのうちの１つを示す応答を送信することと、
を備える、Ｃ２１に記載の方法。
［Ｃ２３］
前記パケット中で、前記ネットワークが前記ＵＥを認証するための少なくとも１つのメカニズムを前記ＢＳから受信することと、
前記ＵＥを認証するために前記少なくとも１つのメカニズムを使用することと、ここにおいて、前記少なくとも１つのメカニズムは、媒体アクセス制御（ＭＡＣ）アドレスまたはショートＭＡＣアドレスのうちの少なくとも１つを備える、
をさらに備える、Ｃ２１に記載の方法。
［Ｃ２４］
前記完全なＲＲＣ接続を確立することは、前記ＵＥと前記ネットワークエンティティとの間に少なくとも１つのデータ無線ベアラを確立することを備える、Ｃ２１に記載の方法。
［Ｃ２５］
前記ＵＥを認証した後に、前記ＵＥが前記ネットワークを認証するための少なくとも１つのメカニズムを前記ＢＳに提供することをさらに備え、前記少なくとも１つのメカニズムは、媒体アクセス制御（ＭＡＣ）アドレスまたはショートＭＡＣアドレスのうちの少なくとも１つを備える、Ｃ２１に記載の方法。
［Ｃ２６］
ネットワークエンティティによる、ネットワークにおけるワイヤレス通信のための方法であって、
ユーザ機器（ＵＥ）との安全な接続を、基地局（ＢＳ）を介して確立することと、
完全な無線リソース制御（ＲＲＣ）接続を確立することなく、前記ＵＥがデータを送信するのに使用するための暗号化メカニズムを、前記安全な接続を介してネゴシエートすることと、
前記ＵＥの認証を行うために前記ＢＳと通信することと、ここにおいて、暗号化されたデータは、前記ＵＥから前記ＢＳによってパケット中で受信され、
前記暗号化されたデータを前記ＢＳから受信することと、
前記暗号化されたデータを復号するために復号情報を使用することと、
を備える、方法。
［Ｃ２７］
前記ネゴシエートすることは、
前記ＵＥからコネクションレスセットアップを求める要求を受信することと、ここにおいて、前記要求は、前記ＵＥによってサポートされた１つまたは複数の暗号化メカニズムを示す、
前記サポートされた暗号化メカニズムのうちの１つを示す応答を送信することと、
を備える、Ｃ２６に記載の方法。
［Ｃ２８］
前記パケット中で、前記ネットワークが前記ＵＥを認証するための少なくとも１つのメカニズムを前記ＢＳから受信することと、
前記ＵＥを認証するために前記少なくとも１つのメカニズムを使用することと、ここにおいて、前記少なくとも１つのメカニズムは、媒体アクセス制御（ＭＡＣ）アドレスまたはショートＭＡＣアドレスのうちの少なくとも１つを備える、
をさらに備える、Ｃ２６に記載の方法。
［Ｃ２９］
前記完全なＲＲＣ接続を確立することは、前記ＵＥと前記ネットワークエンティティとの間に少なくとも１つのデータ無線ベアラを確立することを備える、Ｃ２６に記載の方法。
［Ｃ３０］
前記ＵＥを認証した後に、前記ＵＥが前記ネットワークを認証するための少なくとも１つのメカニズムを前記ＢＳに提供することをさらに備え、前記少なくとも１つのメカニズムは、媒体アクセス制御（ＭＡＣ）アドレスまたはショートＭＡＣアドレスのうちの少なくとも１つを備える、Ｃ２６に記載の方法。
【外国語明細書】
2020043572000001.pdf